(57)【要約】【課題】公営競技場向け表示装置でオッズ表示や動画表示を行うシステム等を対象とし、オッズ表示や動画表示などの制御において、流動表示の品質の向上および自由な輝度変更等、より柔軟な表示制御を可能とする。【解決手段】合成画面作成部２０１は、それぞれ所定のデータ幅を有する複数の画像データを合成し、表示盤の制御を行う表示制御装置１０２に、第１のデータ幅を有するデータとして合成された画像データを分配する。付加データ追加部２０２は、第１のデータ幅より少ない第２のデータ幅を有する画像データの合成時に、未使用のデータ伝送領域に、合成された画像データを制御するための画像表示制御データを重畳する。【選択図】図２
2013137453.tif 000002
【特許請求の範囲】
【請求項１】
それぞれ所定のデータ幅を有する複数の画像データを合成し、表示盤の制御を行う表示制御装置に、第１のデータ幅を有するデータとして合成された画像データを分配し、
前記第１のデータ幅より少ない第２のデータ幅を有する画像データの合成時に、未使用のデータ伝送領域に、前記合成された画像データを制御するための画像表示制御データを重畳し、
受信した前記合成された画像データに重畳されている前記画像表示制御データを取り出し、該画像表示制御データに基づいて前記表示制御装置における前記受信した合成された画像データに基づく少なくとも一部の画像表示を制御する、
ことを特徴とする画像表示制御方法。
【請求項２】
前記画像表示のための水平同期のブランク期間で、前記重畳される画像表示制御データの種別を指定し、
該ブランク期間に続く水平同期期間で、次の水平同期期間の画像表示の制御を指示するための前記画像表示制御データを前記未使用のデータ伝送領域に重畳する。
ことを特徴とする請求項１に記載の画像表示制御方法。
【請求項３】
前記表示制御装置を前記表示盤の各表示領域に対応して複数設置し、
前記表示制御装置ごとに、該各表示制御装置に対応する前記画像表示制御データを前記未使用のデータ伝送領域に重畳する、
ことを特徴とする請求項１または２のいずれかに記載の画像表示制御方法。
【請求項４】
前記画像表示の制御は、画像を流動させて表示する制御または画像の輝度を調整して表示する制御の少なくとも一つ以上である、
ことを特徴とする請求項１乃至３のいずれかに記載の画像表示制御方法。
【請求項５】
前記表示盤は発光ダイオードまたはプラズマディスプレイのいずれかである、
ことを特徴とする請求項１乃至４のいずれかに記載の画像表示制御方法。
【請求項６】
それぞれ所定のデータ幅を有する複数の画像データを合成し、第１のデータ幅を有するデータとして合成された画像データを分配する合成画面作成部と、
前記第１のデータ幅より少ない第２のデータ幅を有する画像データの合成時に、未使用のデータ伝送領域に、前記合成された画像データを制御するための画像表示制御データを重畳する付加データ追加部と、
を含む映像制御装置と、
受信した前記合成された画像データに重畳されている前記画像表示制御データを取り出し、該画像表示制御データに基づいて前記受信した合成された画像データに基づく表示盤への少なくとも一部の画像表示を制御する付加データ処理部と、
前記画像表示が制御された合成された画像データを前記表示盤に表示する画像データ読出し部と、
を含む表示制御装置と、
を備えることを特徴とする画像表示制御システム。
【請求項７】
前記付加データ追加部は、
前記画像表示のための水平同期のブランク期間で、前記重畳される画像表示制御データの種別を指定し、
該ブランク期間に続く水平同期期間で、次の水平同期期間の画像表示の制御を指示するための前記画像表示制御データを前記未使用のデータ伝送領域に重畳する。
ことを特徴とする請求項６に記載の画像表示制御システム。
【請求項８】
前記表示制御装置は、前記表示盤の各表示領域に対応して複数設置され、
前記付加データ追加部は、前記表示制御装置ごとに、該各表示制御装置に対応する前記画像表示制御データを前記未使用のデータ伝送領域に重畳する、
ことを特徴とする請求項６または７のいずれかに記載の画像表示制御システム。
【請求項９】
前記付加データ処理部は、前記画像表示において、画像を流動させて表示する制御または画像の輝度を調整して表示する制御の少なくとも一つ以上を実行する、
ことを特徴とする請求項６乃至８のいずれかに記載の画像表示制御システム。
【請求項１０】
前記映像制御装置および前記表示制御装置は一体のシステムとして接続される、
ことを特徴とする請求項６乃至９のいずれかに記載の画像表示制御システム。
【請求項１１】
前記映像制御装置および前記表示制御装置は、通信回線を使用して遠隔接続される、
ことを特徴とする請求項６乃至１０のいずれかに記載の画像表示制御システム。
【請求項１２】
それぞれ所定のデータ幅を有する複数の画像データを合成し、表示盤の制御を行う表示制御装置に、第１のデータ幅を有するデータとして合成された画像データを分配する合成画面作成部と、
前記第１のデータ幅より少ない第２のデータ幅を有する画像データの合成時に、未使用のデータ伝送領域に、前記合成された画像データを制御するための画像表示制御データを重畳する付加データ追加部と、
を備えることを特徴とする映像制御装置。
【請求項１３】
前記付加データ追加部は、
前記画像表示のための水平同期のブランク期間で、前記重畳される画像表示制御データの種別を指定し、
該ブランク期間に続く水平同期期間で、次の水平同期期間の画像表示の制御を指示するための前記画像表示制御データを前記未使用のデータ伝送領域に重畳する。
ことを特徴とする請求項１２に記載の映像制御装置。
【請求項１４】
前記表示制御装置は、前記表示盤の各表示領域に対応して複数設置され、
前記付加データ追加部は、前記表示制御装置ごとに、該各表示制御装置に対応する前記画像表示制御データを前記未使用のデータ伝送領域に重畳する、
ことを特徴とする請求項１２または１３のいずれかに記載の映像制御装置。
【請求項１５】
受信した合成された画像データに重畳されている画像表示制御データを取り出し、該画像表示制御データに基づいて前記受信した合成された画像データに基づく表示盤への少なくとも一部の画像表示を制御する付加データ処理部と、
前記画像表示が制御された合成された画像データを前記表示盤に表示する画像データ読出し部と、
を備えることを特徴とする表示制御装置。
【請求項１６】
前記付加データ処理部は、前記画像表示において、画像を流動させて表示する制御または画像の輝度を調整して表示する制御の少なくとも一つ以上を実行する、
ことを特徴とする請求項１５に記載の表示制御装置。
【発明の詳細な説明】
【技術分野】
【０００１】
本発明は、公営競技場向け表示装置でオッズ表示や動画表示を行うシステム等を対象とした画像表示制御方法、画像表示制御システム、映像制御装置、および表示制御装置に関する。
【背景技術】
【０００２】
公営競技場(例えば競馬場)で使用するＬＥＤ（Ｌｉｇｈｔ  Ｅｍｉｔｔｉｎｇ  Ｄｉｏｄｅ：発行ダイオード）表示盤等の表示装置は、出走馬、オッズ全画面、レース中継全画面、出走馬、オッズ画面に一部レース中継画面を合成など、様々な組み合わせで画像表示を行う。オッズ表示では、パーソナルコンピュータ（以下、「ＰＣ」と呼ぶ）からの８ビットの映像データと、カメラ中継やその他動画表示は１０ビットの映像データを合成して表示することが要請される。また、表示装置上の例えばオッズ表示領域では、表示画面を流動させて表示させることも要請される。
【０００３】
これらの要請に対応するため、従来、例えばオッズ表示データは、パソコンで上下方向や左右方向に文字が流動する表示データを作成し、映像制御装置にて中継動画データ等と合成して、１０ビットデータとしてＬＥＤ表示盤の表示を制御する表示制御基板に送出していた。
【０００４】
しかし、パソコンで流動するオッズ表示データを作成した場合、作成のしかたによってはパソコンの処理が追いつかずに、動きがぎこちなくなってしまう場合があるという問題点を有していた。
【０００５】
一方、ＬＥＤ表示盤上での表示効果を高めるために、表示画像の輝度を変更したいという要請もある。しかし、表示盤の輝度は、周囲の環境照度に応じて表示盤全体を自動でコントロールしているため、表示内容やある特定の範囲だけでの輝度調整は難しいという問題点を有したい。
【０００６】
さらに従来、ＣＲＴ制御装置で、従来利用されていなかったＲＡＭＤＡＣのデータ入力ラインの途中にラッチ回路を設け、このラッチ回路に表示データをラッチさせ、従来のデータ入力ラインに入力される表示データとともに、８ビットの表示データの組み合わせにより、ＲＡＭＤＡＣ内に設けられたエリアの指定と各エリア内の表示色データ指定を同時に行うようにして、ＣＲＴに２５６色同時発色表示を実現した技術が知られている（例えば特許文献１に記載の技術）。
【０００７】
また従来、データを記憶装置から補正装置に通過させることにより記憶装置からモニタ上に表示させ、補正装置は、データの各成分を少なくとも１つの他の成分の関数として修正し、他の成分の最上位ビットのみが補正値のルックアップテーブルにおけるインデックスとして使用され、最下位ビットが補正値間を補間するために使用されるようにした技術が知られている（例えば特許文献２に記載の技術）。
【０００８】
しかし、これらのいずれの従来技術も、スムースなオッズ流動表示や、特定範囲の輝度調整は行うことは、できなかった。
【先行技術文献】
【特許文献】
【０００９】
【特許文献１】特開平６−１６７９５９号公報
【特許文献２】特開２００３−３１６３４３号公報
【発明の概要】
【発明が解決しようとする課題】
【００１０】
本発明は、オッズ表示や動画表示などの制御において、流動表示の品質の向上および自由な輝度変更等、より柔軟な表示制御を可能とすることを目的とする。
【課題を解決するための手段】
【００１１】
態様の一例では、それぞれ所定のデータ幅を有する複数の画像データを合成し、表示盤の制御を行う表示制御装置に、第１のデータ幅を有するデータとして合成された画像データを分配し、第１のデータ幅より少ないデータ幅を有する画像データの合成時に、未使用のデータ伝送領域に、合成された画像データを制御するための画像表示制御データを重畳し、受信した合成された画像データに重畳されている画像表示制御データを取り出し、その画像表示制御データに基づいて表示制御装置における受信した合成された画像データに基づく少なくとも一部の画像表示を制御するための画像表示制御方法、画像表示制御システム、映像制御装置、および表示制御装置を提供する。
【発明の効果】
【００１２】
未使用のデータ伝送領域への画像表示制御データの重畳により、オッズ表示や動画表示などの制御における流動表示や輝度変更を、表示制御装置側で行うことが可能となり、より柔軟な表示制御が可能となる。
【図面の簡単な説明】
【００１３】
【図１】本実施形態のシステム構成図である。
【図２】本実施形態の映像制御装置の構成図である。
【図３】本実施形態の表示制御装置の構成図である。
【図４】本実施形態における画像データの構成図である。
【図５】本実施形態におけるオッズ表示領域の説明図である。
【図６】本実施形態の一水平同期期間中の画像表示制御データの指定方法の説明図である。
【図７】本実施形態の一水平同期期間中の画像表示制御データの詳細例の説明図で
【図８】本実施形態におけるオッズ流動表示の説明図である。
【図９】本実施形態における合成画像表示の説明図である。
【図１０】本実施形態におけるオッズ流動表示における画像表示制御データの流れを示す説明図である。
【図１１】メモリＡとメモリＢの制御方法の説明図である。
【図１２】本実施形態における輝度調整表示における画像表示制御データの流れを示す説明図である。
【発明を実施するための形態】
【００１４】
以下、本発明を実施するための形態について図面を参照しながら詳細に説明する。
図１は、本実施形態のシステム構成図である。本実施形態は、例えば競馬場で使用するＬＥＤ表示盤等の大型表示装置において、出走馬、オッズ全画面、レース中継全画面、出走馬、オッズ画面に一部レース中継画面を合成など、様々な組合せでの画像表示を制御する画像表示制御システムとして実施される。
【００１５】
図１において、ＬＥＤ表示盤１０３には、複数に分割された表示領域ごとに接続された複数の表示制御装置（表示制御基板）１０２からＬＥＤ表示信号１０４が個別に供給され、各表示領域の表示が実行される。
【００１６】
一方、映像制御装置１０１は、複数の画像データを合成し、ＬＥＤ表示盤１０３上の各表示領域ごとに、対応する各表示制御装置１０２に、それぞれ１０ビット映像信号１０９を供給する。映像制御装置１０１が合成する画像データには、例えばＤＶＩ（Ｄｉｇｉｔａｌ  Ｖｉｓｕａｌ  Ｉｎｔｅｒｆａｃｅ）回線を介して出走馬・オッズ制御ＰＣ１０５から送られてくるオッズ表示データがある。また、例えばＨＤ−ＳＤＩ（Ｈｉｇｈ  Ｄｉｆｉｎｉｔｉｏｎ  Ｓｅｒｉａｌ  Ｄｉｇｉｔａｌ  Ｉｎｔｅｒｆａｃｅ）回線を介してカメラ中継装置１０６や映像配信装置１０７から送られてくる動画データがある。さらには、例えばＲＳ２３２Ｃ回線を介して映像制御ＰＣ１０８から送られてくる映像制御信号がある。本実施形態では、映像制御ＰＣ１０８からの映像制御信号を、オッズ表示時に１０ビット映像信号１０９中で未使用の下位２ビットに重畳させて伝送することができる。
【００１７】
図２は、本実施形態における図１の映像制御装置１０１の構成図である。
映像制御装置１０１において、受信部２０３は、図１の出走馬・オッズ制御ＰＣ１０５、カメラ中継装置１０６、または映像配信装置１０７からの各画像データを受信する装置で、受信した各画像データをメモリ２０４に書き込む。
【００１８】
合成画面作成部２０１は、カメラ中継装置１０６や映像配信装置１０７からの例えば１０ビットのビット長（所定のデータ幅）を有する画像データや、出走馬・オッズ制御ＰＣ１０５からの例えば８ビットのビット長（所定のデータ幅）を有する画像データを合成する。そして、合成画面作成部２０１は、図１のＬＥＤ表示盤１０３の制御を行う各表示制御装置１０２に、例えば１０ビットのデータ幅（第１のデータ幅）を有するデータとして合成された画像データを分配する。合成画面作成部２０１における合成動作は、映像制御ＰＣ１０８から外部制御信号受信部２０５および合成命令受信部２０６を介して受信される合成命令によって制御される。
【００１９】
付加データ追加部２０２は、第１のデータ幅より少ない第２のデータ幅、例えば８ビットを有する例えば出走馬・オッズ制御ＰＣ１０５からのオッズ表示データ等の画像データの合成時に、１０ビット中の未使用の例えば２ビットのデータ伝送領域に、合成された画像データを制御するための画像表示制御データである付加データを重畳する。この付加データの重畳動作は、映像制御ＰＣ１０８から外部制御信号受信部２０５および付加命令受信部２０７を介して受信される付加命令によって制御される。付加命令受信部２０７は、付加命令を受信すると、マルチプレクサ２０８を制御して、合成画面作成部２０１からの合成データに、付加データを重畳させる。
【００２０】
本実施形態では、上述の未使用のデータ伝送領域を用いることにより、例えば、オッズ表示や動画表示などの制御における流動表示や輝度変更を表示制御装置１０２側で実行させるための画像表示制御データを、付加データとして伝送することができる。より具体的には、付加データは例えば、流動表示における流動範囲、方向、移動量の情報である。これにより、表示制御装置１０２側でスムースな画像流動表示や輝度調整を実行することが可能となる。
【００２１】
このようにして生成された合成＋付加データは、変換・分配部２０９にて、図１の各表示制御装置１０２向けの１０ビット映像信号１０９に変換され、各表示制御装置１０２に分配される。
【００２２】
図２の映像制御装置１０１の構成において、メモリ２０４以外の各部の機能は、例えばＦＰＧＡ（Ｆｉｅｌｄ  Ｐｒｏｇｒａｍｍａｂｌｅ  Ｇａｔｅ  Ａｒｒａｙ）２１０のプログラム可能な論理機能を使って実現される。
【００２３】
図３は、本実施形態における図１の表示制御装置１０２の構成図である。
受信部３０１は、図１および図２の映像制御装置１０１からの１０ビット映像信号１０９を受信する。付加データ読出し部３０２は、受信部３０１が受信した１０ビット映像信号１０９から画像表示制御データである付加データを読み出す。
【００２４】
付加データ処理部３０３は、受信部３０１が受信した映像データに対して、付加データ読出し部３０２が読み出した付加データである画像表示制御データに対応する画像制御を実施する。より具体的には、例えば８ビットのオッズデータが表示される場合に、映像制御装置１０１内の付加データ追加部２０２（図２参照）によって、１０ビット映像信号１０９中の未使用の２ビット伝送領域に、流動範囲、方向、移動の情報が格納されて伝送される。付加データ読出し部３０２は、上述の２ビット領域から流動範囲、方向、移動の情報を取り出す。そして、付加データ処理部３０３は、各フレーム（１フレームは例えば１６．６ミリ秒（垂直同期））ごとに、上記情報をもとに編集した（例えば１ドット（画素）ずつずらした)映像データを、メモリＡ３０５およびメモリＢ３０６へ交互に展開する。また、付加データ処理部３０３は、流動範囲外では、受信部３０１からの映像データをそのまま、メモリＡ３０５およびメモリＢ３０６に展開する。メモリＡ３０５およびメモリＢ３０６の書込みアドレスは、メモリ制御部３０８によって制御される。
【００２５】
画像データ読出し部３０７は、メモリＡ３０５およびメモリＢ３０６に展開された映像データを、フレームに同期して読み出し、ＬＥＤ表示データとしてＬＥＤ制御Ｉ／Ｆ（インタフェース）変換部３１０に出力する。メモリＡ３０５およびメモリＢ３０６からの読出しアドレスは、メモリ制御部３０８によって制御される。
【００２６】
ＬＥＤ制御Ｉ／Ｆ変換部３１０は、ＬＥＤ表示データをＬＥＤ表示盤１０３が表示可能なＬＥＤ表示信号１０４に変換して、ＬＥＤ表示盤１０３に出力する。
【００２７】
このようにして、本実施形態では、メモリＡ３０５およびメモリＢ３０６へは、１フレームごとに固定の表示データが必要な部分だけ移動して展開できるため、最終的にＬＥＤ表示盤１０３にＬＥＤ表示信号１０４が出力されるときには、フレームに完全に同期した滑らかな流動表示が可能になる。
【００２８】
同様に、１０ビットと８ビットの合成画面の場合でも、８ビットの部分を認識できるようにし、パソコン上ではなく表示制御装置１０２上での流動制御が可能になる。
【００２９】
さらに応用として、８ビットのオッズ画面などは、流動だけでなく強調したい部分だけ点滅したり、輝度を明るくしたりすることが、同様に上述の未使用の２ビットを使って制御可能になる。この場合には、付加データ処理部３０３は、輝度用メモリ３０９に、個別領域の輝度変更用の輝度データを記憶させる。ＬＥＤ制御Ｉ／Ｆ変換部３１０は、輝度用メモリ３０９に記憶された輝度データに基づいて、ＬＥＤ表示信号１０４における指定された個別領域の輝度を変更する。
【００３０】
取込み位置指定スイッチ３０４は、映像制御装置１０１から、例えば、ｎ台の表示制御装置１０２に映像信号が出力されるが、ｎ台の表示制御装置１０２に対し全て共通の映像信号が入力される場合、各表示制御装置１０２は画面全体のどの部分を取込み、表示すればよいかわからなくなる。そこで、あらかじめ設定した取込み位置を取込み位置指定スイッチ３０４により決定することで、各表示制御装置１０２は、どの部分の表示を行なえばよいかを判断できるようになる。取込み位置指定スイッチ３０４は、例えば、ＦＰＧＡを搭載する制御基板に設けられるロータリースイッチ等である。
【００３１】
図３の表示制御装置１０２の構成において、メモリＡ３０５、メモリＢ３０６、および取込み位置指定スイッチ３０４以外の各部の機能は、図２の場合と同様に、例えばＦＰＧＡ３１１のプログラム可能な論理機能を使って実現される。
【００３２】
図４は、本実施形態における画像データの構成図である。映像制御装置１０１から表示制御装置１０２へは、１０ビット映像信号１０９によって映像データが伝送される。より具体的には、図４に示されるように、Ｒ（赤）、Ｇ（緑）、Ｂ（青）の各色成分ごとに、各１０ビットデータ（ＲＤ０、ＲＤ１、・・・ＲＤ９）、（ＧＤ０、ＧＤ１、・・・ＧＤ９）、（ＢＤ０、ＢＤ１、・・・ＢＤ９）の組が伝送される。これらの組は、図４の４０１、４０２、４０３として例示されるように、垂直同期信号ＶＳＹＮＣ、水平同期信号ＨＳＹＮＣ、およびクロック４０５によって決定されるフレームに同期して順次伝送される。
【００３３】
ここで、図１または図２の出走馬・オッズ制御ＰＣ１０５から出力されるオッズ、出走表示は８ビットの画像データである。このため、下位２ビット（ＲＤ０、ＲＤ１）（ＧＤ０、ＧＤ１）（ＢＤ０、ＢＤ１）は未使用データとなっている。本実施形態では、水平同期信号ＨＳＹＮＣのＢＬＡＮＫ期間と、この未使用の２ビット階調を使用して、画像表示制御データを伝送するものである。  
【００３４】
画像表示制御データは、横方向一行（一水平同期ＨＳＹＮＣ期間）を単位として伝送され、制御が必要な一行前の水平同期信号ＨＳＹＮＣの期間で、画像表示制御データが指定される。
【００３５】
ある横一行に指示がなされる場合、図４の４０６として示される、その行に対応する水平同期信号ＨＳＹＮＣのＢＬＡＮＫ期間で、その水平同期期間の何ドット目から画像表示制御データが伝送されるかが、あらかじめ指定される。その後、該当するドット位置から、未使用の下位２ビットに画像表示制御データが埋め込まれる。
【００３６】
図５は、本実施形態におけるオッズ表示領域の説明図である。いま、破線枠５０１の横３００ドット×縦５００ドットのオッズ表示領域中で流動表示を行うとする。そして、流動領域の座標を、破線枠５０１の左上の座標（Ｘ，Ｙ）：（５，５０）、右上（３００，５０）、左下（５，４８０）、右下（３００，４８０）であるとする。この場合、流動表示のための画像表示制御データの指示は、４９番目の水平同期信号ＨＳＹＮＣの期間（画像上の４９行目）で開始され、４８９番目の水平同期信号ＨＳＹＮＣの期間（画像上の４８９行目）まで実行される。
【００３７】
図６は、本実施形態の一水平同期期間中の画像表示制御データの指定方法の説明図である。
例えば、図４に示されるようにして伝送されるデータ組中のＲ成分の最下位ビットＲ０を使って、まず、ＢＬＡＮＫ期間中の横方向１０クロックタイミングで、この行（水平同期期間）の何ドット目から画像表示制御データが開始されるかが指定される。図６の例では、ＢＬＡＮＫ期間のＲ０＝“０００００００１０１”＝１０進数の５という値が指定されることによって、５ドット目から画像表示制御データが開始されることが指定されている。なお、確実性を高めるために、同じＢＬＡＮＫ期間中の横方向１０クロックタイミングで、Ｒ成分の下位２ビット目Ｒ１を使って同じ値“０００００００１０１”を伝送してダブルチェックをするようにしてもよい。
【００３８】
続いて、Ｒ成分の最下位ビットＲ０の１ドット目Ｒ０＿１から４ドット目Ｒ０＿４までは、画像表示制御データは指定されない。図５の例では、この領域は流動領域ではないため、この部分は他の画像用に１０ビットをフルに使うことができる。そして、図５に対応して、Ｒ成分の最下位ビットＲ０の５ドット目Ｒ０＿５から３００ドット目Ｒ０＿３００と下位２ビット目Ｒ１の５ドット目Ｒ１＿５から３００ドット目Ｒ１＿３００までを使って、次の行（水平同期期間）のための画像表示制御データが伝送される。３０１ドット目（Ｒ０＿３０１、Ｒ１＿３０１）以降は画像表示制御データは伝送されない。また、Ｒ成分の下位３ビット目Ｒ３から最上位ビットＲ９までは、オッズ表示画像データの伝送に使用される。
【００３９】
図７は、本実施形態の一水平同期期間中の上記５ドット目（Ｒ０＿５、Ｒ１＿５）から３００ドット目（Ｒ０＿３００、Ｒ１＿３００）までで指定される画像表示制御データの詳細例の説明図である。
【００４０】
まず、７０１の部分（１ドット目）のＲ０＿５＝１かつＲ１＿５＝１で、そのドットから処理が開始されることが示される。また、７０５の部分（３００ドット目）のＲ０＿３００＝０かつＲ１＿３００＝０で、そのドットまでで処理が完了したことが示される。
【００４１】
次に、Ｒ０ビットについて、画像表示制御データの処理開始から横方向１０ドット分の領域７０２（Ｒ０＿６〜Ｒ０＿１５）を使って、流動制御の場合に、何ドットずらすかが指定される。
【００４２】
また、Ｒ１ビットについて、画像表示制御データの処理開始から横方向８ドット分の領域７０３（Ｒ１＿６〜Ｒ１＿１３）を使って、流動制御の場合に、上から下方向なのか右から左方向なのかなどの方向が指定される。
【００４３】
さらに、Ｒ１ビットについて、領域７０３に続く２ドット分の領域（Ｒ１＿１４、Ｒ１＿１５）を使って、指定した範囲が流動なのか輝度変更なのかなどが指定される。
【００４４】
図７の例では、領域７０２＝“０００００００００１”で１０進数で１のため、１ドットずらす流動制御が指定される。あるいは、領域７０２＝“００００００００１１”であれば１０進数で３のため、３ドットずらす流動制御が指定される。
【００４５】
また、図７の例では領域７０３＝“００００００１０”で、この場合には例えば下から上への流動であることが指定される。右から左の流動であれば、例えば領域７０３＝“０００００００１”としてよい。
【００４６】
あるいは、輝度変更である場合は、領域７０３＝“００００００１０”であれば１０進数で２のため２段階目の輝度が指定され、領域７０３＝“０００００１１１”であれば１０進数で７のため７段階目の輝度が指定されてよい。
また、領域７０３については例えば、“１１”で流動制御、“１０”で点滅制御、“０１”で輝度変更制御などを指定できる。
【００４７】
図８は、本実施形態におけるオッズ流動表示の説明図である。画面遷移（ａ）→（ｂ）→（ｃ）として示されるように、破線枠部５０１のみ下から上にスクロールし、その他の領域は固定表示にすることができる。本実施形態では、流動制御は、図１の出走馬・オッズ制御ＰＣ１０５ではなく、図３の表示制御装置１０２内の付加データ処理部３０３が映像出力用のメモリＡ３０５およびメモリＢ３０６に対して直接行うため、スムースな流動制御が可能となる。
【００４８】
図９は、本実施形態における合成画像表示の説明図である。図２の映像制御装置１０１内の合成画面作成部２０１の機能により、パソコンデータであるオッズ表示９０１の８ビット画像データ、レース中継画面などである動画映像データ９０２の１０ビット画像データ、パソコンデータである出走表示９０３の８ビット画像データを合成して表示することができる。さらに、図３の付加データ処理部３０３の機能により、オッズ表示９０１と出走表示９０３の部分については、流動制御、点滅制御、輝度調整などが可能となる。
【００４９】
図１０は、流動範囲の１行目を右から左へ一部分右から左へ流動する場合のメモリ展開を示す図である。
【００５０】
図１０（ａ）（ｂ）（ｃ）（ｄ）等の各水平同期期間において、８ビットのオッズデータ等の映像データは、１０ビット中で２ビット上位へシフトする。図６、図７で説明したように、Ｒ０〜Ｒ４の先頭４ドットは、図３の付加データ処理部３０３は、１０ビットの映像データはそのままメモリＡ３０５またはメモリＢ３０６へ書き込む。５ドット目Ｒ５から画像表示制御データが開始するためそれ以降は、付加データ処理部３０３は、１０ビット中で２ビット上位へシフトした結果を、メモリＡ３０５またはメモリＢ３０６に展開する。例えば、５ドット目Ｒ５は映像部のデータは２５０のため、２進数にすると“１１１１１０１０”となり２ビットシフトし、“１１１１１０１０００”で４倍の１０００（１０進数）をメモリ２０４（図２参照）へ書き込む。同様にＲ６の２３０はメモリ２０４へは９２０で書き込む。
【００５１】
６ドット目Ｒ６から１５ドット目Ｒ１５では、０ビット目と１ビット目の未使用下位２ビットを使って、領域１００４で流動制御指定、領域１００２で１ドット移動の流動、領域１００３で右から左への移動の流動などが指定される。１６ドット目Ｒ１６と１７ドット目Ｒ１７は無視され、１８ドット目Ｒ１８の（０ビット目、１ビット目）＝（０、０）で画像表示制御データの終了が指示されている。
【００５２】
（ａ）のＮフレームと（ｂ）のＮ＋１フレームでは、画像表示制御データの指定は同じであるが、（ｃ）のＮ＋２フレームと（ｄ）のＮ＋３フレームで、ドット移動が、“００００００００１０”、“００００００００１１”というように、順次大きくなるように指定されていることがわかる。このようにして、水平同期期間ごとに、流動制御を細かく制御することができる。
【００５３】
図１１は、図３のメモリＡ３０５とメモリＢ３０６の制御方法の説明図である。付加データ処理部３０３がメモリＡ３０５に映像データを書き込むときは、メモリＢ３０６では、前フレームで書き込まれたデータが画像データ読出し部３０７に読み出されるように、メモリ制御部３０８が制御を行う。同様に、付加データ処理部３０３がメモリＢ３０６に書き込むフレーム時は、メモリＡ３０５の前フレームデータが画像データ読出し部３０７に読み出されるように、メモリ制御部３０８が制御を行う。Ｎ＋１フレームでは、メモリＡ３０５にＮフレームから１ドット移動したデータが書き込まれ、メモリＢ３０６でＮフレームのデータが読み出される。Ｎ＋２フレームでは、メモリＢ３０６にＮフレームから２ドット移動したデータが書き込まれ、メモリＡ３０５でＮ＋１フレームのデータが読み出され、Ｎ＋３フレームではメールアドレスにＮフレームから３ドット移動したデータが書き込まれ、メモリＢ３０６でＮ＋２フレームのデータが読み出される。
【００５４】
図１２は、本実施形態における輝度調整表示における画像表示制御データの流れを示す説明図である。流動範囲の１行目の一部を輝度変更する場合の動作例である。
【００５５】
ＬＥＤ表示盤１０３（図１参照）の全体の輝度段階が例えば６３に設定された場合(切替えは０〜６３の６４段階できるシステムとする。)を考える。
【００５６】
図１２（ａ）において、画像表示制御データを含む５ドット目Ｒ５〜１８ドット目Ｒ１８は付加データ処理部３０３による処理時に、図１２（ｂ）に示されるように、２ビットシフトされる。
【００５７】
図１２（ｃ）に示されるように、付加データ処理部３０３は、輝度データを輝度用メモリ３０９（図３参照）へ書き込む。この場合、Ｒ５からＲ１８は輝度段階３１が書き込まれる。
【００５８】
ＬＥＤ制御Ｉ／Ｆ変換部３１０（図３参照）は、輝度用メモリ３０９を参照して、出力するＬＥＤ表示信号１０４と輝度段階(８ヒ゛ット)を演算し、ＬＥＤ表示盤１０３を点灯するためのパルスを生成する。例えば図１２（ｄ）に示されるように、Ｒ０の階調が４、輝度６３の場合、輝度は０を最小値、６３を最大値とすると、輝度６３の時の１階調のパルス幅を１００ナノ秒とする。また、図１２（ｅ）に示されるように、Ｒ７が階調４(シフトする前は１）、輝度３１の場合、輝度３１の時の１階調のパルス幅を５０ナノ秒とする。
【００５９】
従来は全体を同じ輝度段階で制御していたため、全ドットのパルスは共通だったが、上述のような個別輝度情報の伝送により、範囲を決めて輝度調整が可能になる。
【００６０】
以上に示したように、本実施形態では、未使用のデータ伝送領域への画像表示制御データの重畳により、オッズ表示や動画表示などの制御における流動表示や輝度変更を、表示制御装置側で行うことが可能となり、より柔軟な表示制御が可能となる。
【符号の説明】
【００６１】
１０１  映像制御装置
１０２  表示制御装置
１０３  ＬＥＤ表示盤
１０４  ＬＥＤ表示信号
１０５  出走馬・オッズ制御ＰＣ
１０６  カメラ中継装置
１０７  映像配信装置
１０８  映像制御ＰＣ
１０９  １０ビット映像信号
２０１  合成画面作成部
２０２  付加データ追加部
２０３、３０１  受信部
２０４  メモリ
２０５  外部制御信号受信部
２０６  合成命令受信部
２０７  付加命令受信部
２０８  マルチプレクサ
２０９  変換・分配部
２１０、３１１  ＦＰＧＡ
３０２  付加データ読出し部
３０３  付加データ処理部
３０４  取込み位置指定スイッチ
３０５  メモリＡ
３０６  メモリＢ
３０７  画像データ読出し部
３０８  メモリ制御部
３０９  輝度用メモリ
３１０  ＬＥＤ制御Ｉ／Ｆ変換部
【図１】
2013137453.tif 000003
【図２】
2013137453.tif 000004
【図３】
2013137453.tif 000005
【図４】
2013137453.tif 000006
【図６】
2013137453.tif 000007
【図７】
2013137453.tif 000008
【図１１】
2013137453.tif 000009
【図１２】
2013137453.tif 000010
【図５】
2013137453.tif 000011
【図８】
2013137453.tif 000012
【図９】
2013137453.tif 000013
【図１０】
2013137453.tif 000014